(57)【特許請求の範囲】
【請求項１】
モータ及び該モータの回転を回転打撃力に変換して先端工具に伝達する打撃機構を収容する胴体部と、
前記胴体部に連設されたハンドル部と、
前記ハンドル部に連設されてバッテリーパックを着脱自在に装着するバッテリー装着部と、
前記バッテリー装着部の内部に配置された電気回路基板と、
前記バッテリー装着部と共に樹脂により一体形成されて、前記電気回路基板に搭載された制御回路を働かせる操作部と、
を有することを特徴とするインパクト工具。
【請求項２】
前記操作部に貼り付けられて光が透過するパネルシートと、
前記操作部に配置されて、前記操作部に貼り付けられた前記パネルシートの外側から視認可能で前記回転打撃力の強度を表示する強度表示ランプと、
を有することを特徴とする請求項１に記載のインパクト工具。
【請求項３】
前記操作部に形成されて、前記パネルシートが貼り付けられる凹部と、
前記凹部に設けられて、前記回転打撃力の強度を切り替える打撃力切替ボタンと、を有し、
前記凹部に、前記打撃力切替ボタンの頭部を覆った状態で前記パネルシートが貼り付けられて、前記打撃力切替ボタンを、前記パネルシートの外側から押圧可能としたことを特徴とする請求項２に記載のインパクト工具。
【発明の詳細な説明】
【技術分野】
【０００１】
この発明は、インパクト工具のハウジングに設けた開口部に、スイッチが配置された操作盤を嵌合させ、その嵌合状態で、前記開口部と前記操作盤との間をシールするインパクト工具に関する。
【背景技術】
【０００２】
例えば非特許文献１には、ハウジングにモータを収容して、モータの収容部の下部からハウジングを構成するハンドル部を突出させて、ハンドル部の下端部にバッテリーパックを装着可能な装着部を形成したインパクトドライバが開示されている。このインパクトドライバでは、装着部の上面に開口部が形成されて、この開口部にスイッチやバッテリーパックの電池残量表示ランプ等が配置された別体の操作盤が嵌合されている。スイッチの一例としては打撃力切替スイッチが挙げられ、この打撃力切替スイッチを操作することで、打撃力の強度を切り替えることがなされている。
【先行技術文献】
【非特許文献】
【０００３】
【非特許文献１】総合カタログ／株式会社マキタ、２０１１年４月、ｐ１６、［２０１１年６月２８日検索］、<URL:http://www.makita.co.jp/product/ecatalog/all.html>
【発明の概要】
【発明が解決しようとする課題】
【０００４】
しかしながら、上記のインパクトドライバに代表される電動工具では、操作盤をハウジングの開口部に嵌合させた状態では、操作盤が開口部に対して十分に密着しないことが原因となって、開口部と操作盤との間に隙間が生じることがあった。仮にこの隙間に水が浸入すると、例えばスイッチの絶縁不良が生じ、操作盤に不具合を発生させることが考えられる。このため、不具合の発生を防止するために、操作盤に対する防水性を高めることが望まれていた。
【０００５】
この発明は、このような状況に鑑み提案されたものであって、操作盤に対する防水性を高めたインパクト工具を提供することを目的とする。
【課題を解決するための手段】
【０００６】
請求項１の発明に係るインパクト工具は、モータ及び該モータの回転を回転打撃力に変換して先端工具に伝達する打撃機構を収容する胴体部と、前記胴体部に連設されたハンドル部と、前記ハンドル部に連設されてバッテリーパックを着脱自在に装着するバッテリー装着部と、前記バッテリー装着部の内部に配置された電気回路基板と、前記バッテリー装着部と共に樹脂により一体形成されて、前記電気回路基板に搭載された制御回路を働かせる操作部と、を有することを特徴とする。
【０００７】
請求項２の発明は、請求項１において、前記操作部に貼り付けられて光が透過するパネルシートと、前記操作部に配置されて、前記操作部に貼り付けられた前記パネルシートの外側から視認可能で前記回転打撃力の強度を表示する強度表示ランプと、を有することを特徴とする。
【０００８】
請求項３の発明は、請求項２において、前記操作部に形成されて、前記パネルシートが貼り付けられる凹部と、前記凹部に設けられて、前記回転打撃力の強度を切り替える打撃力切替ボタンと、を有し、前記凹部に、前記打撃力切替ボタンの頭部を覆った状態で前記パネルシートが貼り付けられて、前記打撃力切替ボタンを、前記パネルシートの外側から押圧可能としたことを特徴とする。
【発明の効果】
【００１０】
請求項１ないし３の発明によれば、操作部がバッテリー装着部に対して切れ目なく形成されることで、操作部とバッテリー装着部との間に隙間が生じることを防止できる。したがって、操作部とバッテリー装着部との間に水が浸入することを防止でき、操作部に対する防水性を向上させることができる。
【図面の簡単な説明】
【００１１】
【図１】本発明の実施形態１のインパクトドライバを構成するハンドル部及びバッテリー装着部の部分側面図である。
【図２】図１のＡ方向から見た同バッテリー装着部の部分平面図である。
【図３】図１のＢ−Ｂ線断面図である。
【図４】図３のＣ部分の拡大図である。
【図５】実施形態２のインパクトドライバを構成するハンドル部及びバッテリー装着部の部分側面図である。
【図６】図５のＤ方向から見た同バッテリー装着部の部分平面図である。
【図７】図５のＥ−Ｅ線断面図である。
【図８】実施形態３のインパクトドライバを構成するハンドル部及びバッテリー装着部の部分側面図である。
【図９】図８のＦ方向から見た同バッテリー装着部の部分平面図である。
【図１０】図８のＧ−Ｇ線断面図である。
【図１１】図１０のＨ部分の拡大図である。
【図１２】実施形態３のインパクトドライバを構成するハンドル部及びバッテリー装着部の部分側面図である。
【図１３】図１２のＩ方向から見た同バッテリー装着部の部分平面図である。
【図１４】図１２のＪ−Ｊ線断面図である。
【図１５】図１４のＫ部分の拡大図である。
【発明を実施するための形態】
【００１２】
＜実施形態１＞
本発明の実施形態１を図１ないし図４を参照しつつ説明する。本実施形態のインパクトドライバ１は、バッテリー装着部１０と、ハンドル部２０と、操作盤３０と、シール部材４０とを備えている。図１ないし図３に示すように、バッテリー装着部１０とハンドル部２０とは、バッテリー装着部１０の左側部分及びハンドル部２０の左側部分を有する樹脂製の左半割ハウジング５０Ｌと、バッテリー装着部１０の右側部分及びハンドル部２０の右側部分を有する樹脂製の右半割ハウジング５０Ｒとを組み付けることで一体に形成されている。なお、インパクトドライバ１は本発明の電動工具の一例である。
【００１３】
バッテリー装着部１０には、バッテリーパック（図示せず。）が着脱自在に装着される。このバッテリーパックは、充電可能なものでありモータ（図示せず。）への給電に用いられる。図３に示すようにバッテリー装着部１０の内部空間１１には、電気回路基板１２が配置されている。電気回路基板１２は、ケース１３内に保持されている。図１及び図３に示すようにハンドル部２０は、バッテリー装着部１０の上面から上向きに突出するように形成されている。ハンドル部２０の上端には、胴体部（図示せず。）が連設されている。この胴体部には、モータやモータの回転を回転打撃力に変換して先端工具に伝達する打撃機構等が収容されている。
【００１４】
図２ないし図４に示すように、バッテリー装着部１０の上面には開口部１５が形成されている。この開口部１５には、バッテリー装着部１０とは別体の操作盤３０が嵌合されている。この操作盤３０の下面は、左半割ハウジング５０Ｌの内面と一体にされたリブ５１（図３参照。）と、右半割ハウジング５０Ｒの内面と一体にされたリブ５２（図４参照。）とに支持されている。
【００１５】
操作盤３０には、各種の押しボタンスイッチや表示ランプが配置されている。本実施形態では、回転打撃力の強度を切り替える打撃力切替ボタンスイッチの打撃力切替ボタン３１（図２及び図４参照。）、回転打撃力の強度を示す強度表示ランプ、バッテリーパックの電池残量を表示する電池残量表示ランプが、操作盤３０に配置されている。打撃力切替ボタン３１が押されると電気回路基板１２に配置されたボタンスイッチが押される。これにより電気回路基板１２に搭載された制御回路が働いて、回転打撃力の強度を設定すると共に設定された回転打撃力の強度（強、中、弱）は強度表示ランプに表示される。さらに図１ないし図４に示すように、操作盤３０の上面には弾性を有して光が透過するパネルシート３２が貼り付けられている。打撃力切替ボタン３１はパネルシート３２の外側から押圧することが可能で、強度表示ランプや電池残量表示ランプの表示もパネルシート３２の外側から視認可能である。なお、バッテリー装着部１０は本発明のハウジングの一例であり、打撃力切替ボタンスイッチは本発明のスイッチの一例である。
【００１６】
さらに本実施形態では、図２ないし図４に示すように、開口部１５と当接する操作盤３０の外周に、シール部材４０が一体に設けられている。ここでは、シール部材４０を弾性材料であるエラストマで形成した。操作盤３０を開口部１５に嵌合させた状態（以下、嵌合状態という。）では、図４に示すようにシール部材４０は、弾性変形して開口部１５の周縁部と密着する。したがって、嵌合状態でシール部材４０は開口部１５と操作盤３０との間をシールすることが可能になる。よって、開口部１５と操作盤３０との間に隙間が生じることを防止できる。例えば操作盤３０付近に誤って水がかかった場合でも、シール部材４０を用いることで、開口部１５と操作盤３０との間に水が浸入することがない。よって、打撃力切替ボタンスイッチの絶縁不良等の不具合を防止できる。
【００１７】
＜実施形態１の効果＞
本実施形態のインパクトドライバ１では、シール部材４０を用いることで、嵌合状態では開口部１５と操作盤３０との間に隙間が生じることを防止できる。よって、開口部１５と操作盤３０との間に水が浸入することを防止でき、操作盤３０に対する防水性を向上させることができる。
【００１８】
＜実施形態２＞
本発明の実施形態２を図５ないし図７を参照しつつ説明する。ここでは実施形態１と同一の構成は同一の符号を付しその説明を省略する。本実施形態のインパクトドライバ１Ａは操作部６０を備えている。図７に示すように操作部６０は、左半割ハウジング５０Ｌが有する操作部６０の左側部分６０Ｌと、右半割ハウジング５０Ｒが有する操作部６０の右側部分６０Ｒとを組み付けることで形成されている。図５ないし図７に示すように操作部６０は、バッテリー装着部１０の上面から僅かに突出してバッテリー装着部１０に対して連続するように一体に形成されている。なお操作部６０は、本発明のハウジングに対して連続するように一体に形成された操作盤の一例である。
【００１９】
図６及び図７に示すように操作部６０の上面には、平面視楕円形状の凹部６１が形成されている。操作部６０には、凹部６１の底面に連設されて押圧可能に保持された樹脂製の打撃力切替ボタン６２が設けられている。さらに、凹部６１の底面には、打撃力切替ボタン６２の頭部を覆った状態で実施形態１と同様のパネルシート３２が貼り付けられている。
【００２０】
本実施形態では、図７に示すように操作部６０をバッテリー装着部１０に対して連続するように一体に形成することで、操作部６０をバッテリー装着部１０に対して切れ目なく形成できる。これにより、操作部６０とバッテリー装着部１０との間に隙間が生じることを防止できる。よって、操作部６０付近に誤って水がかかった場合でも、操作部６０とバッテリー装着部１０との間から水が浸入することがない。加えてパネルシート３２によって、左側部分６０Ｌと右側部分６０Ｒとの合わせ面６３を覆うこともできる。したがって、水が合わせ面６３に浸入することも防止できる。
【００２１】
＜実施形態２の効果＞
本実施形態のインパクトドライバ１Ａでは、操作部６０がバッテリー装着部１０に対して切り目なく形成されることで、操作部６０とバッテリー装着部１０との間に隙間が生じることを防止できる。したがって、操作部６０とバッテリー装着部１０との間に水が浸入することを防止でき、操作部６０に対する防水性を向上させることができる。
【００２２】
＜実施形態３＞
本発明の実施形態３を図８ないし図１１を参照しつつ説明する。ここでは実施形態１、２と同一の構成は同一の符号を付しその説明を省略する。図１０及び図１１に示すように本実施形態のインパクトドライバ１Ｂでは、開口部１５の周囲にバッテリ装着部１０から立ち上がる周壁部１６が形成されている。この周壁部１６は、左半割ハウジング５０Ｌが有する半割周壁部１６Ｌと、右半割ハウジング５０Ｒが有する半割周壁部１６Ｒとを組み付けることで形成されている。図１１に示すように嵌合状態では、操作盤３０の上面と周壁部１６の上面とは面一となるように配置されている。
【００２３】
さらに図９ないし図１１に示すように嵌合状態では、パネルシート３２Ａが、周壁部１６上と操作盤３２上とに跨って貼り付けられて、開口部１５と操作盤３０との間の隙間を覆っている。このパネルシート３２Ａも、実施形態１のパネルシート３２と同様に弾性を有して光を透過する。本実施形態では、操作盤３０付近に誤って水がかかった場合でも、パネルシート３２Ａを用いることで、開口部１５と操作盤３０との間に水が浸入することを防止できる。なお、パネルシート３２Ａは本発明のシール部材の一例であり、周壁部１６は本発明のハウジングの一例である。
【００２４】
＜実施形態３の効果＞
本実施形態のインパクトドライバ１Ｂでは、パネルシート３２Ａを周壁部１６上と操作盤３０上とに跨って貼り付けた状態で、開口部１５と操作盤３０との間の隙間を覆うことで、開口部１５と操作盤３０との間に水が浸入することを防止できる。よって、操作盤３０に対する防水性を向上させることができる。
【００２５】
＜実施形態４＞
本発明の実施形態４を図１２ないし図１５を参照しつつ説明する。ここでは実施形態１ないし３と同一の構成は同一の符号を付しその説明を省略する。本実施形態のインパクトドライバ１Ｃは操作盤３０Ａ（図１４参照。）を備えている。操作盤３０Ａの上面の面積は、開口部１５の開口面積よりも大きくなるように形成されている。これに伴って操作盤３０Ａの上面は、嵌合状態で開口部１５と操作盤３０Ａとの間の隙間を覆ってバッテリー装着部１０上に当接可能となる。なお操作盤３０Ａの上面は、本発明の操作盤におけるハウジングとの当接面の一例である。
【００２６】
図１３ないし図１５に示すように操作盤３０Ａの上面には、外側へ突出する複数のねじ固定部３５が一体に設けられている。各ねじ固定部３５も嵌合状態でバッテリー装着部１０上に当接する。各ねじ固定部３５には、ねじ３６の挿入孔３７（図１５参照。）が形成されている。また図１５に示すようにバッテリー装着部１０には、嵌合状態で各挿入孔３７と対向する位置にねじ孔１７がそれぞれ形成されている。
【００２７】
図１４及び図１５に示すように嵌合状態では、ねじ３６は各挿入孔３７に挿入されて各ねじ孔１７に螺合する。このときパネルシート３２の両端部は、ねじ３６の頭部と操作盤３０Ａの上面との間に挟まれる。これにより、パネルシート３２は前記上面に固定される。さらに、ねじ３６が各ねじ固定部３５をバッテリー装着部１０上に押さえ付けることに伴って、操作盤３０Ａの上面は、開口部１５と操作盤３０Ａとの間の隙間を覆った状態でバッテリー装着部１０上に圧接固定される。その結果操作盤３０Ａの上面は、前記隙間を覆った状態でバッテリー装着部１０上に密着する。
【００２８】
＜実施形態４の効果＞
本実施形態のインパクトドライバ１Ｃでは、ねじ３６をねじ孔１７に螺合させることにより、操作盤３０Ａの上面が、開口部１５と操作盤３０Ａとの間の隙間を覆った状態でバッテリー装着部１０上に密着する。これにより、操作盤３０Ａの上面とバッテリー装着部１０との間のシール性能が優れたものになる。したがって、操作盤３０Ａの上面とバッテリー装着部１０との間から、開口部１５と操作盤３０Ａとの間の隙間に向けて水が浸入することを防止できる。よって、操作盤３０Ａに対する防水性を向上させることができる。
【００２９】
本発明は、上述した実施形態に限定されるものではなく、発明の趣旨を逸脱しない範囲内において構成の一部を適宜変更して実施できる。上述した実施形態では、４つのねじ固定部３５をそれぞれバッテリー装着部１０上に押さえ付ける例を示したが、これに限らない。例えば５つ以上又は３つ以下の適宜の数のねじ固定部３５をバッテリー装着部１０上に押さえ付けることに伴って、操作盤の上面を、開口部１５と操作盤との間の隙間を覆った状態でバッテリー装着部１０上に圧接固定してもよい。また、上述した実施形態では、本発明を充電式のインパクトドライバに適用する例を示したが、これに限らず、例えば本発明を交流駆動式のインパクトドライバに適当してもよい。
【符号の説明】
【００３０】
１、１Ａ〜１Ｃ・・インパクトドライバ、１０・・バッテリー装着部、１５・・開口部、１６・・周壁部、３０、３０Ａ・・操作盤、３２Ａ・・パネルシート、３５・・ねじ固定部、３６・・ねじ、４０・・シール部材、６０・・操作部。
【図１】
0005788724.tif 000002
【図２】
0005788724.tif 000003
【図３】
0005788724.tif 000004
【図４】
0005788724.tif 000005
【図５】
0005788724.tif 000006
【図６】
0005788724.tif 000007
【図７】
0005788724.tif 000008
【図８】
0005788724.tif 000009
【図９】
0005788724.tif 000010
【図１０】
0005788724.tif 000011
【図１１】
0005788724.tif 000012
【図１２】
0005788724.tif 000013
【図１３】
0005788724.tif 000014
【図１４】
0005788724.tif 000015
【図１５】
0005788724.tif 000016